(57)【要約】【課題】デッドスペースに血液が滞留することがなく、また隆起部により血液の滞留を防ぐことができる混注部材及び医療用具を提供すること。【解決手段】ハウジング（４）上部のポート（３）に栓体（４）を装着し、当該ハウジング（４）の両側に血液流入側チューブ（Ｔ）と血液流出側チューブ（Ｔ）を接続した混注部材（１）において、前記ハウジング（４）の底部に、ハウジング（４）内に流入してきた血液を当該ハウジング（４）上部のデッドスペース（Ｓ）方向に迂回させることのできる隆起部（６）を形成した混注部材（１）。【選択図】図１
2006129884.tif 000002
【特許請求の範囲】
【請求項１】
ハウジング（４）上部のポート（３）に栓体（４）を装着し、当該ハウジング（４）の両側に血液流入側チューブ（Ｔ）と血液流出側チューブ（Ｔ）を接続した混注部材（１）において、
前記ハウジング（４）の底部に、ハウジング（４）内に流入してきた血液を当該ハウジング（４）上部のデッドスペース（Ｓ）方向に迂回させることのできる隆起部（６）を形成したことを特徴とする混注部材（１）。
【請求項２】
前記隆起部（６）は、血液流入側チューブ（Ｔ）からハウジング（４）内に流入してきた血液が、衝突した時に、ハウジング４上部のデッドスペース（Ｓ）方向に流れを変え、さらに上部から下降して、血液流出側チューブ（Ｔ）から排出できるようにした形状であることを特徴とする請求項１に記載の混注部材（１）。
【請求項３】
ハウジング（１４）上部のポート（１３）に液体移送チューブ（Ｔ）を接続した接続部材（１１）において、当該ハウジング（４）の両側に血液流入側チューブ（Ｔ）と血液流出側チューブ（Ｔ）を接続した接続部材（１１）において、
前記ハウジング（１４）の底部に、ハウジング（１４）内に流入してきた血液を当該ハウジング（１４）上部のデッドスペース（Ｓ）方向に迂回させることのできる隆起部（１６）を形成したことを特徴とする接続部材（１１）。
【請求項４】
隆起部（１６）は、血液流入側チューブ（Ｔ）からハウジング（１４）内に流入してきた血液が、衝突した時に、ポート（１３）内のデッドスペース（Ｓ）方向に流れを変え、さらにポート（１３）から下降して、血液流出側チューブ（Ｔ）から排出できるようにした形状であることを特徴とする請求項３に記載の接続部材（１１）。
【請求項５】
請求項１ないし請求項４に記載の混注部材及び／又は接続部材（１１）を含むことを特徴とする医療用具。
【発明の詳細な説明】
【技術分野】
【０００１】
本発明は、薬液等を注入する混注部材、接続部材の改良に関するもので、血液の滞留や凝固のない混注部材、接続部材に関する。本発明の混注部材は、血液回路、輸血・輸液セット等の医療用具に使用される。本発明の接続部材は、生理食塩液、薬液等の注入ライン等のジョイント（接続管、Ｔ字管ともいう）等の医療用具に使用される。
【背景技術】
【０００２】
図５、６の混注部材５１（現在使用されている混注部材５１の断面図）に例示するように、ハウジング５２の上部と、栓体５４の下部にデッドスペースＳが存在するため、ハウジング５２内に流入してきた血液はデッドスペースＳ付近で滞留しやすく、血液の凝固を惹起することがあった。
また図７、８の接続部材６１（現在使用されている接続部材６１の断面図）に例示するように、ポート６３内部にデッドスペースＳが存在するため、ハウジング６２内に流入してきた血液はデッドスペースＳ付近で滞留しやすく、血液の凝固を惹起することがあった。
【０００３】
なお特許文献１に例示されているように、医療用活栓の発明において、ハウジング内壁面に、三箇所の縦溝を形成し、薬液（一般に血液より粘性低い）の流れる方向を調整して、滞留をなくする旨が開示されているが、これらの複数の溝では、粘性の高い血液が通過する際には、滞留、凝固の原因となるので好ましくない。
【特許文献１】特開２００３−１５９３３６号公報（図２、図３、［００１６］［００１８］［００２０］［００２２］）
【発明の開示】
【発明が解決しようとする課題】
【０００４】
本発明が解決しようとする問題点は、ハウジング内に流入してきた血液はデッドスペースＳ付近で滞留しやすく、血液の凝固を惹起する点である。
【課題を解決するための手段】
【０００５】
そこで本発明者は以上の課題を解決するために、鋭意検討を重ねた結果次の発明に到達した。
［１］本発明は、ハウジング（４）上部のポート（３）に栓体（４）を装着し、当該ハウジング（４）の両側に血液流入側チューブ（Ｔ）と血液流出側チューブ（Ｔ）を接続した混注部材（１）において、
前記ハウジング（４）の底部に、ハウジング（４）内に流入してきた血液を当該ハウジング（４）上部のデッドスペース（Ｓ）方向に迂回させることのできる隆起部（６）を形成した混注部材（１）を提供する。
［２］本発明は、前記隆起部（６）は、血液流入側チューブ（Ｔ）からハウジング（４）内に流入してきた血液が、衝突した時に、ハウジング４上部のデッドスペース（Ｓ）方向に流れを変え、さらに上部から下降して、血液流出側チューブ（Ｔ）から排出できるようにした形状である［１］に記載の混注部材（１）を提供する。
［３］本発明は、ハウジング（１４）上部のポート（１３）に液体移送チューブ（Ｔ）を接続した接続部材（１１）において、当該ハウジング（４）の両側に血液流入側チューブ（Ｔ）と血液流出側チューブ（Ｔ）を接続した接続部材（１１）において、
前記ハウジング（１４）の底部に、ハウジング（１４）内に流入してきた血液を当該ハウジング（１４）上部のデッドスペース（Ｓ）方向に迂回させることのできる隆起部（１６）を形成した接続部材（１１）を提供する。
［４］本発明は、隆起部（１６）は、血液流入側チューブ（Ｔ）からハウジング（１４）内に流入してきた血液が、衝突した時に、ポート（１３）内のデッドスペース（Ｓ）方向に流れを変え、さらにポート（１３）から下降して、血液流出側チューブ（Ｔ）から排出できるようにした形状である［３］に記載の接続部材（１１）を提供する。
［５］本発明は、［１］ないし［４］に記載の混注部材及び／又は接続部材（１１）を含む医療用具を提供する。
【発明の効果】
【０００６】
本発明の混注部材１は、ハウジング４内に流入してきた血液は、隆起部６に衝突して、ハウジング４上部のデッドスペースＳ方向に流れ、さらに上部から下降して、排出されるので、デッドスペースＳに滞留することはない。接続部材１１においても同様に、隆起部１６により血液の滞留を防ぐことができる。
【発明を実施するための最良の形態】
【０００７】
図１は本発明の混注部材１の概略図（一部切欠断面図）、図２は図１の使用状態図である。
［混注部材１］
本発明の混注部材１は、ハウジング４上部のポート３に栓体４を装着し、当該ハウジング４の両側に血液流入側チューブＴと血液流出側チューブＴを接続した混注部材１において、前記ハウジング４の底部に、ハウジング４内に流入してきた血液を当該ハウジング４上部のデッドスペースＳ方向に迂回させることのできる隆起部６を形成した混注部材１である。
【０００８】
［隆起部６］
隆起部６は、図１、図２の例示では、ハウジング４の底部から略三角形状（断面が略三角形状で、チューブＴの径ないしハウジング４の径（幅）よりも若干狭い幅を有する）に立設されている。
図１、図２の例示では血液流入側チューブＴからハウジング４内に流入してきた血液は、隆起部６の前方斜面に衝突し、ハウジング４上部のデッドスペースＳ方向に流れ、当該デッドスペースＳから、隆起部６の後方斜面に沿って、血液流出側チューブＴから排出される。デッドスペースＳを必ず血液が通過するので、デッドスペースＳに血液が滞留することなく、血液の凝固も発生しない。
隆起部６の形態は、血液流入側チューブＴからハウジング４内に流入してきた血液が、衝突した時に、ハウジング４上部のデッドスペースＳ方向に流れを変え、さらに上部のデッドスペースＳから下降して、血液流出側チューブＴから排出できるようにした形状であれば何でも良い。
例えば、球冠状、角柱状、角錐台状、円錐台状等何でも良い。
【０００９】
またポート３に装填される栓体５は、アダプター（図示せず）のルアー部（注入口ともい）を挿入可能なスリットＳＬ付きの栓体４であれば何でも良い。スリットの形態もルアー部（注入口）を挿入可能な形態（例えば縦断面の途中から形成されているものあるいは縦断面の上端から下端に亘って形成されたもの等）であれば何でも良い。また栓体４に鋭利な針部材を刺通する場合はスリットＳＬは不要である。
また図１の例示では、栓体４はポート３の内部に配置されているが、ポート３の下部に配置（厳密にいえば、ポート３下部とハウジング２の上段部との間）しても良い。
ポート３とキャップ５は係合部（具体的には、突起と溝で、相互に入れ替わっても良い）により係合される。
【００１０】
図３は本発明の接続部材１１の概略図（一部切欠断面図）、図４は図３の使用状態図である。
［接続部材１１］
本発明の接続部材１１は、ハウジング１４上部のポート１３に、液体（薬液、輸液、生理食塩液等）の移送チューブＴを接続し、当該ハウジング４の両側に血液流入側チューブＴと血液流出側チューブＴを接続した接続部材１１において、ハウジング１４の底部に、ハウジング１４内に流入してきた血液を当該ポート１３内のデッドスペースＳ方向に迂回させることのできる隆起部１６を形成した接続部材１１である。
［隆起部１６］
隆起部１６の形態は、前記隆起部６と実質的に同じであるから詳細な説明は省略する。
図３、図４の例示では血液流入側チューブＴからハウジング１４内に流入してきた血液は、隆起部１６の前方斜面に衝突し、ポート１３内のデッドスペースＳ方向に流れ、当該デッドスペースＳから、隆起部１６の後方斜面に沿って、血液流出側チューブＴから排出される。デッドスペースＳを必ず血液が通過するので、デッドスペースＳに血液が滞留することなく、血液の凝固も発生しない。
【図面の簡単な説明】
【００１１】
【図１】本発明の混注部材１の概略図（一部切欠断面図）
【図２】図１の使用状態図
【図３】本発明の接続部材１１の概略図（一部切欠断面図）
【図４】図３の使用状態図
【図５】従来の混注部材の概略図（一部切欠断面図）
【図６】図５の使用状態図
【図７】従来の接続部材の概略図（一部切欠断面図）
【図８】図７の使用状態図
【符号の説明】
【００１２】
１  混注部材
２  ハウジング
３  ポート
４  栓体
５  キャップ
６  隆起部
Ｔ  チューブ
Ｓ  デッドスペース
ＳＬ  スリット
１１  接続部材
１２  ハウジング
１３  ポート
１６  隆起部
Ｃ  かんし（クランプ）
【図４】
2006129884.tif 000003
【図７】
2006129884.tif 000004
【図８】
2006129884.tif 000005
【図１】
2006129884.tif 000006
【図２】
2006129884.tif 000007
【図３】
2006129884.tif 000008
【図５】
2006129884.tif 000009
【図６】
2006129884.tif 000010